(57)【要約】【課題】プリンタを有する情報記録再生装置内に、センターホルダーに載置された光ディスクを保持するための光ディスク保持手段を持たせることにより、光ディスクへの安定した印刷を実現すること。【解決手段】光ディスクのラベル面に画像及び文字等の印刷を施すためのプリンタ部及び、光ディスクデータ面の情報の読み出しまたは、書き込みの、少なくともいずれかを行うためのヘッド及び、光ディスクを載置して、回転力を光ディスクに供給するためのセンターホルダーを有し、光ディスクをセンターホルダーに載置した状態で光ディスクのラベル面に文字や画像等を印刷することができる情報記録再生装置に、印刷時に光ディスクの回転を阻止するための光ディスク固定手段をもたせたものである。【選択図】        図１
2004171725.tif 000002
【特許請求の範囲】
【請求項１】
光ディスクのラベル面に画像及び文字等の印刷を施すためのプリンタ部及び、前記光ディスクのデータ面の情報を読み出しまたは、書き込みの、少なくともいずれかを行うためのヘッド及び、前記光ディスクを載置して、回転力を前記光ディスクに供給するためのセンターホルダーを有し、前記光ディスクを前記センターホルダーに載置した状態で前記光ディスクのラベル面に文字や画像等を印刷することができる情報記録再生装置において、印刷時に前記光ディスクの回転を阻止するための光ディスク固定手段を有することを特徴とする情報記録再生装置。
【請求項２】
請求項１において、印刷時に前記光ディスクの回転を阻止するための光ディスク固定手段が、光ディスクをラベル面及び、データ−面を保持し固定することを特徴とする情報記録再生装置。
【請求項３】
請求項１において、印刷時に前記光ディスクの回転を阻止するための光ディスク固定手段が、光ディスクの放射方向外側から中心に向かって光ディスクを挟みこむことにより固定することを特徴とする情報記録再生装置。
【請求項４】
請求項１において、印刷時に前記光ディスクの回転を阻止するための光ディスク固定手段が、光ディスク載置したセンターホルダーを固定することにより光ディスクを固定することを特徴とする情報記録再生装置。
【発明の詳細な説明】
【０００１】
【発明の属する技術分野】
本発明は、光ディスクのラベル面に画像及び文字等の印刷を施すための記録部及び、前記光ディスクの情報を読み出しまたは、書き込みの、少なくともいずれかを行うための読み書きヘッドを有する情報記録再生装置に関する。
【０００２】
【従来の技術】
従来の光ディスクは、ＣＤ−ＲＯＭ等のように再生だけしかできないものであった。よって、光ディスクを再生する装置も、再生専用のものが主流であった。近年、ＣＤ−Ｒ等のように、１回だけ媒体に記録できるものや、ＣＤ−ＲＷ、ＭＯ、ＰＤ、ＭＤ等のように書き換え可能な記録媒体や、ＤＶＤ−ＲＡＭ、のように、大容量で書き換え可能なメディアも出現してきた。一般の使用者が音楽だけでなく、デジタルカメラを用いて撮影した画像を光ディスクに記録するということも頻繁に行われている。このような背景に対して光ディスクの記録内容に付随したタイトルなどが記入されたラベルも自分で制作し、印刷するという需要も高まりつつある。従来はコンピュータにプリンタを接続し、自分で、シール紙にラベルを印刷し、そのシールを光ディスクのラベル面に貼るという、複雑な作業が必要であった。つまり、光ディスクのラベルを自分で印刷するには、パソコンとプリンタは必須の道具であたった。近年上記のような需要に対して、記録可能な光ディスクの中には、例えば、白色の下地が印刷されており、ユーザーが自分で文字や、絵が書き込めるタイプの光ディスクも発売されてきている。また、近年、プリンタにアダプターを付けることにより、光ディスク（ＣＤ−Ｒ等）を直接プリンタに入れラベル面印刷が可能なプリンタも発売されてきている。
【０００３】
ラベル面印刷に関する提案がなされている。特開平９−２６５７６０は、光ディスクの装置にラベルの印刷機能を付加させた装置で光ディスクの再生、記録用のヘッド背面に光ディスクの半径方向にプリンタの印刷ヘッドを配置し、光ディスクの回転を利用し、光ディスクのラベル面に印刷する装置である。
【０００４】
【発明が解決しようとする課題】
上記従来例の特開平９−２６５７６０の構成では、情報記録再生装置の有している、中央で保持しながら光ディスクに回転力を伝達する為のセンターホルダーの回転は自由になっているため、光ディスクの表面に印刷を施すための印刷ヘッドとの距離が一定に保たれず、回転むらや、印刷タイミングのずれなどを生じる可能性がある。
【０００５】
光ディスクのラベルプリンタには回転動作を利用したものだけではなく、シリアルプリンタや、パラレルプリンタ等のように、光ディスクの直径方向に印刷ヘッドを移動させ印刷を行うものや、印刷ヘッドを固定し、光ディスクを載置したトレイを移動させ印刷を施すものなどがある。前記のように回転動作を利用しない印刷方式を用い、印刷を施す際に、情報記録再生装置の有するセンターホルダーは回転方向には自由に動くことができるため、いくら印刷ヘッドが印刷精度を有していても、回転むら、印刷タイミングとの同期が不安定等の影響を受けて、品位の高い印刷ができない場合がある。
【０００６】
さらに、光ディスクをトレイに載置して、回転動作を利用せずに、トレイの動きを利用して印刷を施す方式においても、通常ディスクとトレイは面で接しており、固定はされていない。従って、印刷を開始しトレイが初速を得た瞬間など光ディスクに比較的大きな加速度がかかった際には、相対的にずれてしまう可能性がある。また、データ面がトレイ上面と接するため、塵、埃、汚れ、傷等が光ディスクに付く可能性もある。せっかく、光ディスクに書きこんだデータが読み出せないといった事態も生ずる。
【０００７】
【課題を解決するための手段】
上記課題を解決するために、本発明は、光ディスクのラベル面に画像及び文字等の印刷を施すためのプリンタ部及び、前記光ディスクデータ面の情報の読み出しまたは、書き込みの、少なくともいずれかを行うためのヘッド及び、前記光ディスクを載置して、回転力を前記光ディスクに供給するためのセンターホルダーを有し、前記光ディスクを前記センターホルダーに載置した状態で前記光ディスクのラベル面に文字や画像等を印刷することができる情報記録再生装置に、印刷時に前記光ディスクの回転を阻止するための光ディスク固定手段をもたせたものである。
【０００８】
上記光ディスク固定手段は、光ディスクをラベル面及び、データ−面とを保持し固定することが効果的である。
【０００９】
また、前記光ディスク固定手段は、光ディスクの放射方向外側から中心に向かって光ディスクを挟みこむことによって光ディスクを固定することも効果的である。
【００１０】
さらに、前記光ディスク固定手段は、光ディスク載置したセンターホルダーを固定することにより光ディスクを固定することも効果的である。
【００１１】
（作用）
本発明を情報記録再生装置に採用することにより、光ディスクのデータ面を保護しながら安定して光ディスクを固定することができるため、プリンタの精度を十分に生かしつつ、安定したラベル面印刷が可能となり、且つ、前記印刷においてデータ面に記録された情報を、塵、埃、汚れ、傷等などから保護できる情報記録再生装置の提供が可能となる。
【００１２】
【発明の実施の形態】
以下、図面を参照して本発明の実施の形態を説明する。なお，各図面を通して同一符合は、同一又は、対応部分を示す。本発明を説明する際に２つのモードを用いて説明を行う。一つ目は書きこみモードである。書きこみモードとは、読み書きヘッド２８より照射されるレーザー光を用いて、光ディスクデーター面の情報を読み出しまたは、光ディスクへの情報の書き込みをしている状態を指す。残りの一つは印刷モードである。印刷モードとは、光ディスクラベル面に印刷ヘッド９により印刷を施している状態をあらわしている。図１は本発明の第一実施例の書きこみモードを表す斜視図である。また、図２は本発明の第一実施例の書きこみモードを表す側面図である。以下では、図１及び図２を用いて、本発明の第一実施例の説明を行う。
【００１３】
１０はキャリッジであり、図示しない軸受け部が設けられキャリッジ軸７にガイドされている。シャーシ１３に固定された該キャリッジ軸７及び、シャーシ１３に固定されたガイドレール１１を挟みこむように構成されている。さらにキャリッジ１０には、タイミングベルト１５が固着されている。タイミングベルト１５はシャーシ１３に回転可能に挿入されたプーリ１６と、シャーシ１３に固定されたステッピングモータ４の回転軸に圧入されたプーリ５の間で一定の張力を与えられ張設されている。したがって、ステッピングモータ４の回転に連動して、プーリ５及びプーリ１６に装着されたタイミングベルト１５が回転し、キャリッジ１０が直線運動を行う。キャリッジ１０には、インクジェット方式の印刷ヘッド９が搭載され、キャリッジ１０の移動と同期して印刷ヘッド９は直線運動を行いながら、インク滴を吐出し媒体に印刷を施す。スクリューネジ１２の端部にはギア２２が圧入されており、ステッピングモータ１９からの回転駆動力は、モータギア２０及び中間ギア２１を経てギア２２に伝達され、ステッピングモータ１９の回転によりスクリューネジ１２が減速回転する。キャリッジ１０を載置したシャーシ１３の一端はスクリューネジ１２に勘合し、駆動力を受けるガイド１７が固定され、他端は側板１４に固定された固定軸２に案内されるスラスト軸受け３が固定されている。従って、ステッピングモータ１９の双方向の回転により、シャーシ１３はキャリッジ１０の移動方向と垂直方向に往復運動する。
【００１４】
１は光ディスクである。書きこみモードにおいては、光ディスク１は、光ディスク１に回転力を伝達するための駆動源であるセンターホルダー３２に装着され、滑らずに回転運動を行う。２３Ａ及び、２３Ｂは本発明の光ディスクを固定するための停止板であり、側板に固定されている。２８はレーザー光を照射し、光ディスク１に書きこみを行うための読み書きヘッドである。
【００１５】
印刷ヘッド９は光ディスク１のラベル面上方に一定の距離をおいて載置されている。
【００１６】
また、印刷ヘッド９は、タイミングベルト１５より伝達された駆動力によりキャリッジ１０の送り方向の往復運動をし、さらに、スクリューネジ１２より側板１３に伝えられた駆動力によって、キャリッジ１０の送り方向と垂直の方向に運動する。従って、光ディスク１ラベル面上を自由に移動し、ラベル面の任意の位置に印刷を施すことができる。
【００１７】
図３及び、図４は書きこみモードにおける光ディスク固定手段の機構部の側面図、斜視図を表している。図５及び、図６は印刷モードにおける光ディスク固定手段の機構部の側面図、斜視図を表している。以下では、図３、図４、図５、図６を用いて、本発明の第一実施例における光ディスク固定手段の機構の説明を行う。光ディスク１を載置したセンターホルダー３２はリフト２９に固定されている。センターホルダー３２は回転駆動源を有しており、通電することにより、その回転力を光ディスク１に伝達する。該センターホルダーの３２の回転駆動源は非通電時には回転を停止することができない。従って、光ディスク１は回転自在状態で停止している。センターホルダー３２は光デスク１を載置して回転を止める手段は有しておらず、回転力を光ディスク１に伝達していない場合でも外部から回転部に力がかかると自由に回転する。つまり、センターホルダー３２に載置された光ディスク１の回転フリー状態を拘束するには、それほど大きな力は必要とせず、通常は固定された部材が光ディスク１に触れる程度で固定できる。リフト２９は、ガイド３１に装着されており、光デスク１のラベル面と垂直方向に移動できるようにガイドされている。ステッピングモータ３０に圧入され駆動力の伝達を受けるピニオン４０が、ラックが形成されているリフト２９のＡ部に動力を伝達し、リフト２９は光デスク１のラベル面に垂直に上下に移動する印刷モード及び、書きこみモードの際は、ステッピングモータ３０が励磁され、それぞれの定位置にリフト２９が移動停止する。つまり、ステッピングモータ３０は書きこみモードから印刷モードに切り替わる際及び、印刷モードから書きこみモードに切り替わる際にのみ、リフト２９に駆動力を伝達する。それ以外の場合は励磁され回転力を伝えることはない。
【００１８】
以下では例えば、書きこみモードから、印刷モードに切り替わり光ディスク１のラベル面に印刷が施されるまでの流れを説明する。書きこみ時に固定されていたリフト２９は印刷モードに切り替わると、ステッピングモータ３０からの駆動力の伝達を受け、光デスク１及び、センターホルダー３２を押し上げる。所定数のステップを受けたステッピングモータ３０は停止板２３の下面と光ディスク１のラベル面が接したところで、励磁され回転力の伝達を止め、リフト２９は再び固定される。回転フリー状態にあった光ディスク１は停止板２３Ａ及び、停止板２３Ｂの下面とセンターホルダー３２に保持され、固定され、図１におけるキャリッジ１０に搭載された印刷ヘッド９よりラベル面に印刷が施される。上記の場合、センターホルダー３２の上方への力は、光ディスク１が変形しない程度の力である。インクジェット方式等は媒体に触れずに印刷を施すことができる為、外部から特に強い衝撃等を受けない限り、軽く押さえる程度でも光ディスク１は回転することはない。さらに、停止板２３Ａ及び、停止板２３Ｂの材質はゴム等の弾性体を用い、光ディスク１を押しつけ多少の負荷がかかった際にも、光ディスク１のラベル面にはキズ等がつきにくい構成になっている。
【００１９】
上記のように光ディスク１は停止板により側板に相対的に固定された状態で、印刷ヘッド９が光ディスク１上を自由に移動し、インクを吐出することにより、光デスク１のラベル面に安定した印刷が施される。
【００２０】
図７は本発明の第二実施例書きこみモードにおける情報記録再生装置の斜視図を示す。第二実施例で用いるキャリッジ１０、シャーシ１３の駆動方式及び、印刷方式は第一実施例で用いたものと同じである。３３Ａ及び、３３Ｂは本発明の第２の実施例における光ディスク固定手段である挟みこみ部材である。挟み込み部材３３Ａ及び、挟み込み部材３３Ｂは側板１４の側面にある図示しないガイド部にガイドされ、往復運動をする。第２実施例では、挟みこみ部材３３Ａ及び、挟みこみ部材３３Ｂが光ディスク１を放射方向外側から中心に向かって光ディスクを挟むことによって固定することを特徴としている。図８、図９は本発明の第２実施例における書きこみモード、図１０、図１１は印刷モードの機構部をそれぞれ表している。以下では、図７、図８、図９、図１０及び、図１１を用いて、本発明の第２実施例における光ディスク固定手段の機構部の説明を行う。ステッピングモータ３９より伝達された駆動力はタイミングベルト３７に伝達される。タイミングベルト３７はプーリ３８及び、プーリ３５により張設されている。プーリ３５にはピニオンが形成されており、挟みこみ部材３３Ｂの下面Ｂ１部に形成されたラックに直線運動を与える。さらに、プーリ３８はピニオン３６に動力を伝え、挟みこみ部材３３Ａの下面Ｂ２部に形成されたラックに直線運動を与える。挟みこみ部材３３Ａ及び、挟みこみ部材３３Ｂの可動方向は正反対である。従って、挟みこみ部材３３Ａが光ディスク１の中心方向に移動する際には、同様に、挟みこみ部材３３Ｂも光ディスク１の中心方向に移動し、光ディスク１を挟み固定する。その後、第一実施例同様に光ディスク１のラベル面に印刷が施される。挟みこみ部材３３Ａ及び、挟みこみ部材３３Ｂの光ディスク１に接する部分は、第一の実施例同様にゴム等の弾性体を用いラック＆ピニオンで生じる位置決めの精度誤差を吸収することができる。また、挟みこみ部材３３Ａ及び、挟みこみ部材３３Ｂの光ディスク１をデータ−面から保持する部位は、光ディスク１のデータ−面のデータ記録可能領域には達しない位置にあるため、光ディスク１のデータを損傷することが無いように構成されている。ステッピングモータ３９から光ディスクを固定していた時と逆の回転力を受け、挟みこみ部材３３Ａが光ディスク１の放射方向に移動する際には、同様に、挟みこみ部材３３Ｂも光ディスク１の放射方向に移動し、光ディスク１を離す。
【００２１】
図１２、図１３は本発明の第三実施例における光ディスク固定手段の正面図及び、斜視図をそれぞれ表している。また、図１４は本発明の第三実施例の印刷モードにおける光ディスク固定手段の正面図を表している。以下では、図１２、図１３及び、図１４を用いて説明を行う。第三実施例では光ディスク１をプリンタと相対的に固定するために、センターホルダー３２を固定することを特徴としている。書きこみモードから、印刷モードに切り替わった際に、ステッピングモータ４２は自身に取り付けられたピニオンＥに回転力を伝達する。その後、ピニオンＥはくさび４４の下面に形成されたラック部Ｄに直線運動を伝達する。くさび４４にはガイド溝Ｃが形成されており、板金４３に固定されたガイド４１に沿って、センターホルダー３２の中心に向かって移動する。さらに、センターホルダー３２に接した位置で、ステッピングモータ４２は励磁され回転を止め、くさび４４から光ディスク１に一定の力が加わり続け、光ディスク１は固定される。その後、第一実施例同様に光ディスク１のラベル面に印刷が施される。
【００２２】
【発明の効果】
第一の実施例では、センターホルダー３２に載置された光ディスク１の自由回転を避けるために、光ディスク１の下面をセンターホルダーにて保持し、上面を停止板２３Ａ及び、２３Ｂを用いて保持し、光ディスク１を固定状態に保つことができるため、安定したラベル面印刷が可能となる。
【００２３】
第二の実施例では、センターホルダー３２に載置された光ディスク１を挟み込み部材３３Ａ及び、３３Ｂが挟みこむことにより保持し、光ディスク１を固定状態に保つことができるため、安定したラベル面印刷が可能となる。
【００２４】
第三の実施例では、光ディスク１を載置したセンターホルダー３２を固定することにより、光ディスク１を固定状態に保つことができるため、安定したラベル面印刷が可能となる。
【００２５】
さらに、上記第一実施例及び、第二の実施例を用いることにより、品位の高いラベル面印刷ができるばかりでなく、光ディスク１データ面への塵、埃、汚れ、傷等の付着を防ぐことができる。
【図面の簡単な説明】
【図１】本発明における情報記録再生装置の第一実施例の正面斜視図
【図２】本発明における情報記録再生装置の第一実施例の側面図
【図３】本発明における情報記録再生装置の第一実施例の書きこみモードにおける光ディスク固定手段の特徴を表す側面図
【図４】本発明における情報記録再生装置の第一実施例の書きこみモードにおける光ディスク固定手段の特徴を表す背面斜視図
【図５】本発明における情報記録再生装置の第一実施例の印刷モードにおける光ディスク固定手段の特徴を表す側面図
【図６】本発明における情報記録再生装置の第一実施例の印刷モードにおける光ディスク固定手段の特徴を表す背面斜視図
【図７】本発明における情報記録再生装置の第二実施例の正面斜視図
【図８】本発明における情報記録再生装置の第二実施例の書きこみモードにおける光ディスク固定手段の特徴を表す斜視図
【図９】本発明における情報記録再生装置の第二実施例の書きこみモードにおける光ディスク固定手段の特徴を表す背面斜視図
【図１０】本発明における情報記録再生装置の第二実施例の印刷モードにおける光ディスク固定手段の特徴を表す斜視図
【図１１】本発明における情報記録再生装置の第二実施例の印刷モードにおける光ディスク固定手段の特徴を表す背面斜視図
【図１２】本発明における光ディスク固定手段の第三実施例の特徴を表す正面図
【図１３】本発明における光ディスク固定手段の第三実施例の特徴を表す斜視図
【図１４】本発明における光ディスク固定手段の第三実施例の特徴を表す正面図
【符号の説明】
１  光ディスク
２  固定軸
３  スラスト軸受け
４  ステッピングモータ
５  プーリ
６  フレキ
７  キャリッジ軸
８  記録部
９  印刷ヘッド
１０  キャリッジ
１１  ガイドレール
１２  スクリューネジ
１３  シャーシ
１４  側板
１５  タイミングベルト
１６  プーリ
１７  ガイド
１８  プリンタ制御基盤
１９  ステッピングモータ
２０  モータギア
２１  中間ギア
２２  ギア
２３  停止板
２４  フレキホルダー
２５  ネジ
２６  ギア
２７  ギア
２８  読み書きヘッド
２９  リフト
３０  ステッピングモータ
３１  ガイド
３２  センターホルダー
３３  挟みこみ部材
３５  プーリ
３６  ピニオン
３７  タイミングベルト
３８  プーリ
３９  ステッピングモータ
４０  ピニオン
４１  ガイド
４２  ステッピングモータ
４３  板金
４４  くさび
【図１】
2004171725.tif 000003
【図２】
2004171725.tif 000004
【図３】
2004171725.tif 000005
【図４】
2004171725.tif 000006
【図５】
2004171725.tif 000007
【図６】
2004171725.tif 000008
【図７】
2004171725.tif 000009
【図８】
2004171725.tif 000010
【図９】
2004171725.tif 000011
【図１０】
2004171725.tif 000012
【図１１】
2004171725.tif 000013
【図１２】
2004171725.tif 000014
【図１３】
2004171725.tif 000015
【図１４】
2004171725.tif 000016